(57)【要約】【課題】入金処理中の複数の有価媒体の中から一部の有価媒体のみを返却する。【解決手段】有価媒体の収納及び投出が可能な有価媒体処理装置を、投入された有価媒体を一時保留する一時保留部と、一時保留部に収納された有価媒体の中から装置外へ投出させる有価媒体の返却指定を行うための操作部と、有価媒体を収納するための収納部と、操作部により返却指定されなかった有価媒体は収納部へ収納して返却指定された有価媒体のみを装置外へ投出する制御部とによって構成する。【選択図】  図２
2014191563.tif 000002
【特許請求の範囲】
【請求項１】
有価媒体の収納及び投出が可能な有価媒体処理装置であって、
投入された前記有価媒体を一時保留する一時保留部と、
前記一時保留部に収納された有価媒体の中から装置外へ投出させる有価媒体の返却指定を行うための操作部と、
前記有価媒体を収納するための収納部と、
前記操作部により返却指定されなかった有価媒体は前記収納部へ収納して返却指定された有価媒体のみを装置外へ投出する制御部と
を備えることを特徴とする有価媒体処理装置。
【請求項２】
前記制御部は、
返却指定された全ての有価媒体を装置外へ投出した後、
返却指定された前記有価媒体を装置外へ投出するために前記収納部へ収納した前記有価媒体を前記収納部から前記一時保留部へ戻し入れる
ことを特徴とする請求項１に記載の有価媒体処理装置。
【請求項３】
前記収納部は、テープの間に有価媒体を挟んだ状態で巻き取りながら収納するテープ式収納部であり、
返却指定されなかった前記有価媒体を該テープ式収納部に収納する際には、有価媒体を挟まない状態で前記テープを所定長さ以上巻き取って収納済有価媒体との間隔を広くあけてから、返却指定されなかった前記有価媒体の収納を開始する
ことを特徴とする請求項１又は２に記載の有価媒体処理装置。
【請求項４】
一取引分として投入された有価媒体のうち、返却指定されずに前記収納部に収納された前記有価媒体の入金データを保存するための記憶部
をさらに備え、
前記制御部は、一取引分の前記有価媒体のうち返却指定されて装置外に投出された有価媒体が装置内へ再投入された際には、再投入された前記有価媒体の入金データを前記記憶部に保存された入金データと関連付けて一取引分のデータとして管理する
ことを特徴とする請求項１、２又は３に記載の有価媒体処理装置。
【請求項５】
有価媒体の収納及び投出が可能な有価媒体処理装置を利用して行う有価媒体処理方法であって、
投入された前記有価媒体を一時保留部に収納する一時保留工程と、
前記一時保留部に収納された有価媒体の中から装置外へ投出させる有価媒体の返却指定を行う返却指定工程と、
前記返却指定工程で返却指定されなかった有価媒体を所定収納部へ収納しながら返却指定された有価媒体のみを装置外へ投出する投出工程と
を含んだことを特徴とする有価媒体処理方法。
【発明の詳細な説明】
【技術分野】
【０００１】
この発明は、有価媒体の入金処理に利用される有価媒体処理装置に関し、特に、入金処理時に投入された複数の有価媒体の中から一部の有価媒体のみを指定して返却させることができる有価媒体処理装置及び有価媒体処理方法に関する。
【背景技術】
【０００２】
従来、金融機関等では、紙幣だけではなく小切手や手形等の特定有価証券を入金可能な有価媒体処理装置が利用されている。有価媒体処理装置では、例えば、入金される紙幣や特定有価証券等の有価媒体の画像を取得して有価媒体現物の管理に利用したり、取得した画像から金額や口座等の情報を文字認識して有価媒体の入金処理に利用したりすることができる。
【０００３】
例えば、特許文献１には、特定有価証券の入金及び収納を行うための特定有価証券入金機が開示されている。この特定有価証券入金機では、操作員によって、入金処理の処理対象となる小切手が装置に投入されると、装置内でこの小切手の画像が取得される。そして、小切手を装置内部に一時保留した状態で、小切手画像から小切手に含まれる金額等の文字認識を行って入金データを生成する。入金データが生成されると、操作員は、この入金データを確認してデータに間違いがある場合には修正を行う。操作員が一取引分の全ての小切手について入金データを確認して入金処理の確定操作を行うと、一時保留されていた小切手が収納部に収納されて入金処理が完了する。
【先行技術文献】
【特許文献】
【０００４】
【特許文献１】特開２００６−１４６８２９号公報
【発明の概要】
【発明が解決しようとする課題】
【０００５】
しかしながら、上記従来技術によれば、入金処理途中の紙幣や小切手等の有価媒体を装置外に投出させると入金処理を完了するまでに手間がかかるという問題があった。例えば、多数の小切手を一括して、一取引分として入金している途中で、誤って入金すべきではない小切手が混入していたことが発覚した場合は、この入金処理を確定することができないため、処理を中止して返却操作を行うことになる。ところが、返却操作を行うと、混入した１枚の小切手だけではなく一時保留部に収納されていた全ての小切手が返却され、この入金処理に関する入金データも全て消去されてしまう。このため、混入した１枚の小切手を取り除いた後、返却された全ての小切手を再度入金して、全ての操作を最初から行わなければならない。
【０００６】
本発明は、上述した従来技術による問題点を解消するためになされたもので、入金処理時に投入された複数の有価媒体の中から一部の有価媒体のみを指定して返却させる処理を容易に行うことができる有価媒体処理装置及び有価媒体処理方法を提供することを目的とする。
【課題を解決するための手段】
【０００７】
上述した課題を解決し、目的を達成するために、本発明は、有価媒体の収納及び投出が可能な有価媒体処理装置であって、投入された前記有価媒体を一時保留する一時保留部と、前記一時保留部に収納された有価媒体の中から装置外へ投出させる有価媒体の返却指定を行うための操作部と、前記有価媒体を収納するための収納部と、前記操作部により返却指定されなかった有価媒体は前記収納部へ収納して返却指定された有価媒体のみを装置外へ投出する制御部とを備えることを特徴とする。
【０００８】
また、本発明は、上記発明において、前記制御部は、返却指定された全ての有価媒体を装置外へ投出した後、返却指定された前記有価媒体を装置外へ投出するために前記収納部へ収納した前記有価媒体を前記収納部から前記一時保留部へ戻し入れることを特徴とする。
【０００９】
また、本発明は、上記発明において、前記収納部は、テープの間に有価媒体を挟んだ状態で巻き取りながら収納するテープ式収納部であり、返却指定されなかった前記有価媒体を該テープ式収納部に収納する際には、有価媒体を挟まない状態で前記テープを所定長さ以上巻き取って収納済有価媒体との間隔を広くあけてから、返却指定されなかった前記有価媒体の収納を開始することを特徴とする。
【００１０】
また、本発明は、上記発明において、一取引分として投入された有価媒体のうち、返却指定されずに前記収納部に収納された前記有価媒体の入金データを保存するための記憶部をさらに備え、前記制御部は、一取引分の前記有価媒体のうち返却指定されて装置外に投出された有価媒体が装置内へ再投入された際には、再投入された前記有価媒体の入金データを前記記憶部に保存された入金データと関連付けて一取引分のデータとして管理することを特徴とする。
【００１１】
また、本発明は、有価媒体の収納及び投出が可能な有価媒体処理装置を利用して行う有価媒体処理方法であって、投入された前記有価媒体を一時保留部に収納する一時保留工程と、前記一時保留部に収納された有価媒体の中から装置外へ投出させる有価媒体の返却指定を行う返却指定工程と、前記返却指定工程で返却指定されなかった有価媒体を所定収納部へ収納しながら返却指定された有価媒体のみを装置外へ投出する投出工程とを含んだことを特徴とする。
【発明の効果】
【００１２】
本発明によれば、有価媒体処理装置に投入した複数の有価媒体を一時保留部に一時保留した状態で、装置外へ投出させたい有価媒体を指定する返却指定を行って、返却指定した有価媒体のみを装置外へ投出させることができる。
【００１３】
また、本発明によれば、有価媒体処理装置に投入した有価媒体の入金確定を行うことなく、返却指定した一部の有価媒体のみを装置外へ投出させて、他の有価媒体を一時保留部に収納した状態とすることができるので、全ての有価媒体を一時保留部に一時保留して対応する収納部に収納可能な状態となってから、入金確定して有価媒体を装置内の収納部に収納することができる。
【００１４】
また、本発明によれば、有価媒体をテープ式収納部に退避させる際に、該収納部に収納済みの有価媒体と間隔をあけて収納するので、例えば、処理途中で障害が発生したような場合でも、収納部に収納済みであった有価媒体と退避収納した有価媒体とを容易に区別することができる。
【００１５】
また、本発明によれば、一取引分として投入された有価媒体のうち装置外に投出されることなく装置内に維持されている有価媒体に関するデータを維持して、装置外に投出された有価媒体の再処理完了後に、再処理分のデータと維持していたデータとを合わせて一取引分のデータとして管理できるので、一部の有価媒体のみを再処理して一取引分の有価媒体の入金処理を確定する処理を容易に行うことができる。
【図面の簡単な説明】
【００１６】
【図１】図１は、本実施形態に係る有価媒体処理装置を利用して行われる有価媒体処理の概要を説明する模式図である。
【図２】図２は、本実施形態に係る有価媒体処理装置の構成概略を説明するための断面模式図である。
【図３】図３は、有価媒体処理装置の機能を説明するためのブロック図である。
【図４】図４は、キャリアシートの構成を説明する図である。
【図５】図５は、キャリアシートの搬送状態の異常を検知する方法を説明する図である。
【図６】図６は、収納された有価媒体現物と媒体管理データで管理されるデータとの整合性を確認する処理を説明する図である。
【図７】図７は、媒体管理データに対応する有価媒体現物が装置内に収納されていない場合にデータと現物との整合をとる処理を説明する図である。
【図８】図８は、媒体管理データにはない有価媒体が装置内に収納されている場合にデータと現物との整合をとる処理を説明する図である。
【図９】図９は、装置に収納されている有価媒体と媒体管理データとの整合をとる際に表示される画面例を示す図である。
【図１０】図１０は、有価媒体処理装置で行われる有価媒体処理の流れを説明するフローチャートである。
【図１１】図１１は、テープ式収納部に収納済みの有価媒体と一時退避のために収納された有価媒体とを区別する方法を説明する図である。
【図１２】図１２は、装置外へ投出する有価媒体を指定する返却指定操作時に表示される画面例を示す図である。
【図１３】図１３は、有価媒体に関する入金データを修正する際に表示される画面例を示す図である。
【発明を実施するための形態】
【００１７】
以下に添付図面を参照して、この発明に係る有価媒体処理装置の好適な実施形態を詳細に説明する。有価媒体処理装置は、未使用状態の紙幣である新券、市場流通可能な紙幣等の他に、市場流通に適さない損券、破れや汚れにより通常の紙幣処理装置では処理できないような損傷券、小切手や手形等の有価証券を処理することができる。
【００１８】
まず、本実施形態に係る有価媒体の処理方法概要について説明する。図１は、有価媒体処理装置１を利用して行われる有価媒体の処理方法概要を説明する模式図である。有価媒体処理装置１は、有価媒体の投入及び投出を行うための入出金口６と、有価媒体を一時保留するための一時保留部２と、有価媒体を収納する有価媒体収納部５、７と、有価媒体の識別、枚数計数及び画像取得を行うための識別部３と、各部の間で有価媒体を搬送する搬送部４とを有している。図１では、有価媒体を積み重ねるように収納する集積方式の有価媒体収納部５と、２枚のテープの間に有価媒体を挟んでドラムに巻き取って収納するテープ式の有価媒体収納部７との２つの収納部を示しているが、有価媒体処理装置１では、収納する有価媒体の種類に応じて複数の収納部が利用される。また、図１には図示していないが、有価媒体処理装置１は、識別部３で取得された有価媒体の画像や識別結果を確認したり装置外へ投出する有価媒体を選択したりするための操作表示部９と、入金データを管理するための制御部１１とを有している（図３参照）。以下では、有価媒体として小切手を入金する場合を例に説明を続ける。
【００１９】
図１（ａ）に示すように、有価媒体処理装置１を操作する操作員が、入金処理対象となる一取引分の小切手１００ａを入出金口６に投入する（Ａ−１）。入出金口６に投入された複数の小切手１００ａは、搬送部４によって１枚ずつ搬送されて識別部３によって画像が取得される（Ａ−２）。画像が取得された小切手１００ａは、一時保留部２に搬送されて一時保留される（Ａ−３）。
【００２０】
小切手１００ａの画像は、操作員によって、入金内容を確認するために利用される。具体的には、各小切手１００ａの画像や該画像から取得された小切手金額等のデータが操作表示部９に表示されるので、操作員は、表示された画像やデータに問題がないことを確認する。このとき、例えば、小切手画像が鮮明でないとか、大きく傾いているとか、画像品質に問題がある場合には、操作員はこの小切手を装置外への投出対象として指定する返却指定操作を行う。また、小切手金額等のデータに問題があれば操作表示部上で修正するが、操作員が、小切手を一旦装置外へ投出させて現物を目視確認すると判断した場合には、この小切手を返却対象として指定する。
【００２１】
操作員が、一時保留部２に収納されている全ての小切手１００ａについて、画像及びデータの確認を終えて入金処理を確定する操作を行うと、図１（ｂ）に示すように、一時保留部２内の小切手１００ａが繰り出される（Ｂ−１）。そして、操作員が画像やデータに問題がないと判断して返却指定されなかった小切手１００ａは、対応する有価媒体収納部５に搬送されて収納される（Ｂ−２）。有価媒体収納部５では、既に収納されていた小切手１１０の上に新たに入金された小切手１００ａが収納される。一方、操作員によって返却指定された小切手１００ｂは、再処理分の小切手１００ｂとして、入出金口６へ投出される（Ｂ−３）。装置内では、制御部が、再処理分として投出された小切手１００ｂのデータのみを消去して、有価媒体収納部５へ収納した小切手１００ａに係るデータを確定済入金データとして管理する。確定済み入金データには、例えば、小切手画像、小切手金額、口座番号等が含まれる。
【００２２】
再処理分の小切手１００ｂが投出されると、操作員は、小切手１００ｂ現物を確認した後、この小切手１００ｂを装置へ再投入する。このとき、操作員は、再投入した小切手１００ｂが、有価媒体収納部５に収納済みの小切手１００ａと一取引分として処理されるべき小切手１００ｂであることを示す情報を操作表示部９に入力する。これを受けた制御部１１は、再投入された小切手１００ｂのデータが、先に登録された確定済入金データに関連するデータであることを認識する。
【００２３】
小切手１００ｂが入出金口６へ再投入されると、図１（ａ）に示したように、再び、識別部３によって画像が取得されて一時保留部２へ収納された状態で、操作員により、画像やデータに問題がないことが確認される。画像及びデータに問題がないことが確認されると、図１（ｃ）に示すように、一時保留部２に一時保留されていた再処理分の小切手１００ｂが繰り出される（Ｃ−１）。そして、対応する有価媒体収納部５へ収納されて、先に収納された小切手１００ａの上に収納される（Ｃ−２）。装置内では、制御部１１が、再処理分として再投入された小切手１００ｂのデータを、先に収納された小切手１００ａのデータと関連付けて一取引分のデータとして登録する。こうして、最初に入出金口６へ投入された一取引分全ての小切手１００ａを収納して入金処理を完了する。
【００２４】
図１（ｂ）では、入金処理を確定してから、再処理が不要な小切手１００ａを先に有価媒体収納部５へ収納して、再処理が必要な小切手１００ｂだけを装置外へ投出する態様を示したが、有価媒体処理装置１では、設定によって、入金処理を確定することなく同様の処理を行えるようになっている。
【００２５】
一取引分として扱われるべき小切手１００ａのうち一部の小切手１００ｂのみが装置外へ投出された状態で装置の障害等の問題が発生すると、処理が混乱する可能性がある。このため、全ての小切手１００ａを、対応する有価媒体収納部５に収納可能な状態としてから入金確定することが望ましいとの考え方がある。これに対応するため、有価媒体処理装置１は、利用者の運用に応じて、入金処理を確定せずに一部の小切手を装置外へ投出できるようになっている。
【００２６】
具体的には、図１（ａ）に示すように、全ての小切手１００ａを一時保留部２に一時保留した状態で、一部の小切手が返却対象として指定されると、図１（ｄ）に示すように、一時保留部２に一時保留されていた小切手１００ａが繰り出される（Ｄ−１）。そして、操作員が画像やデータに問題がないと判断して返却指定されなかった小切手１００ａは、有価媒体収納部７に退避収納される（Ｄ−２）。有価媒体収納部７では、既に収納されている小切手１１１の後に新たに入金された小切手１００ａが巻き取られて収納される。このとき、テープ式の有価媒体収納部７では、既に収納されている小切手１１１の巻取時の間隔よりも、広い間隔をあけてから、退避する小切手１１１の巻き取りを開始する。
【００２７】
一方、返却指定された小切手１００ｂは、再処理分として入出金口６へ投出される（Ｄ−３）。こうして、再処理分の小切手１００ｂが全て投出されると、装置内では、制御部１１が、再処理分として投出された小切手１００ｂのデータのみを消去して、有価媒体収納部７に退避収納した小切手１００ａに関するデータを未確定入金データとして管理する。未確定入金データには、小切手画像、小切手金額、口座番号等が含まれる。
【００２８】
テープ式の収納部は、形状や状態によらず有価媒体を確実に収納、繰り出しできるという利点を有している。また、巻き取る際に収納済の小切手１１１と大きく間隔をあけてから入金未確定状態にある小切手１００ａを収納することで、装置に障害が発生した場合でも、繰り出される際の間隔から、収納済の小切手１１１と、退避収納された小切手１００ａとを容易に区別することができる。このため、有価媒体処理装置１では、入金処理が未確定の状態にある小切手１００ａはテープ式の有価媒体収納部７へ収納する。
【００２９】
再処理分の小切手１００ｂの投出を完了すると、図１（ｅ）に示すように、有価媒体収納部７へ退避収納した小切手１００ａを一時保留部２へ戻し入れる処理が開始される。具体的には、有価媒体収納部７へ収納された小切手１００ａが順次繰り出されて（Ｅ−１）、一時保留部２へ収納される（Ｅ−２）。こうして、入金処理が未確定状態にある小切手１００ａが一時保留部２へ収納された状態で、再処理分の小切手１００ｂの処理が開始される。
【００３０】
そして、再処理分の小切手１００ｂが問題なく処理されて、一取引分の全ての小切手１００ａ、１００ｂが一時保留部２へ収納された状態で、操作員が入金処理を確定すると、図１（ｃ）に示すように、全ての小切手１００ａ、１００ｂが一時保留部２から繰り出されて（Ｃ−１）、対応する有価媒体収納部５へ収納される（Ｃ−２）。
【００３１】
入金処理が確定すると、制御部１１は、装置内に維持されていた小切手１００ａのデータと再処理分の小切手１００ｂのデータとを合わせた一取引分の入金データを、確定済入金データとして登録する。こうして、最初に入出金口６へ投入された一取引分全ての小切手１００ａを収納して入金処理を完了する。
【００３２】
図１（ｅ）では、有価媒体収納部７へ退避収納した小切手１００ａを一時保留部２へ戻し入れる態様を示したが、有価媒体処理装置１では、退避収納した小切手１００ａを有価媒体収納部７内に収納したまま、装置外へ投出した小切手１００ｂの再処理を行うこともできる。具体的には、有価媒体処理装置１では、入金未確定のまま装置内に維持される小切手１００ａを一時保留する第２の一時保留部を選択設定できるようになっている。有価媒体収納部７を第２の一時保留部として利用する設定を行うと、有価媒体収納部７に退避収納された未確定分の小切手１００ａは一時保留されたとみなされる。このため、図１（ｅ）のように一時保留部２への戻し入れは行われず、入金が確定するまで、有価媒体収納部７内に維持される。この場合は、再処理分の小切手１００ｂの処理を終えて入金が確定すると、有価媒体収納部７に収納された小切手１００ａと一時保留部２に収納された小切手１００ｂとが、対応する有価媒体収納部５へ収納されることになる。
【００３３】
このように、有価媒体処理装置１では、入金処理中に、取得した有価媒体の画像の品質に問題がある場合や誤って入金対象外の有価媒体が混入した場合等、一部の有価媒体のみを装置外へ投出させたい場合に、これらの有価媒体をのみを装置外へ投出させて、他の有価媒体を装置内に維持した状態とすることができる。装置内では、装置外へ投出して再処理される有価媒体のデータのみが削除されて他のデータは維持されるので、再処理分の有価媒体のみを再投入してデータ取得やデータ確認等の処理を行って、入金処理を完了することができる。
【００３４】
また、有価媒体処理装置１では、入金される有価媒体のうち一部の有価媒体のみを返却する処理を、入金処理を確定してから行うこともできるし、入金処理を未確定の状態で行うこともできるので、処理内容、処理対象とする有価媒体の種類、有価媒体処理装置１が設置された金融機関の運用等に応じた設定で利用することができる。
【００３５】
なお、有価媒体の返却前に入金処理を確定するか否かについては、常に入金確定する又は常に入金確定しない設定で利用する態様の他、処理時に手動で選択するよう設定することもできる。また、処理や有価媒体の種類等に応じて、入金確定の可否が自動選択されるよう設定することもできる。自動選択とは、例えば、小切手入金であるか紙幣入金であるかによって又は投入された有価媒体の枚数や入金金額が所定値を越えるか否かによって、入金確定するか否かを自動的に選択させるものである。
【００３６】
次に、図１に示す有価媒体処理を実現する有価媒体処理装置１の詳細について説明する。図２は、本実施形態に係る有価媒体処理装置１の構成を説明するための断面模式図である。なお、図２では、図面左側の側面が有価媒体処理装置１の前面となっており、図面右側の側面が有価媒体処理装置１の背面となっている。
【００３７】
図２に示すように、有価媒体処理装置１には、有価媒体を機体内に投入するための投入部１０、及び機体内に収納された新券等を機体外に投出するための投出部６０が設けられている。処理対象とする有価媒体には、損券、旧券、損傷券等を含む紙幣と、紙幣以外の特定の有価証券とが含まれる。特定の有価証券とは、小切手や手形等、予め設定された種類の有価証券のことをいう。投入部１０や投出部６０は、有価媒体処理装置１の機体前面（図２における左側の側面）に設けられている。投入部１０には繰出機構１２が設けられており、操作員によって投入部１０に束状態で投入された有価媒体は、繰出機構１２により１枚ずつ機体内に繰り出されるようになっている。また、図２に示すように、有価媒体処理装置１の機体内には有価媒体搬送部１４が設けられており、投入部１０から繰出機構１２により１枚ずつ繰り出された有価媒体は、有価媒体搬送部１４により１枚ずつ搬送されるようになっている。
【００３８】
また、繰出機構１２下流の有価媒体搬送部１４には有価媒体識別部１６が設けられている。有価媒体識別部１６は、有価媒体処理装置１の機体内で有価媒体を撮像して画像を取得する画像取得部としての機能を有している。また、有価媒体識別部１６は、取得した画像に基づいて、紙幣の金種、真偽及び正損の識別、紙幣記番号の文字認識、小切手の種類の識別、小切手番号及び小切手金額の文字認識等を行う機能も有している。
【００３９】
有価媒体処理装置１内には一時保留部２０が設けられており、入金処理時には、有価媒体処理装置１の機体内に投入された有価媒体が一時保留部２０に一時的に保留されるようになっている。一時保留部２０は、有価媒体をテープに挟んで巻き取るテープ巻取方式のものである。より具体的には、一時保留部２０は、正逆両方向に回転可能なドラム２０ａを有しており、このドラム２０ａによって一対のテープを巻き取ったり送り出したりすることができる。有価媒体搬送部１４から一時保留部２０に送られた有価媒体は、一対のテープの間に挟まれた状態で１枚ずつ順次ドラム２０ａに巻き取られて収納される。また、ドラム２０ａを逆転させると、巻き取られた有価媒体が１枚ずつ繰り出されて、有価媒体搬送部１４に送り出される。
【００４０】
有価媒体処理装置１の機体内には、小切手や手形等の特定の有価証券を収納する特定有価証券収納部３０と、損券や旧券等の収納する損券収納部４０、４２とがそれぞれ設けられている。より具体的には、特定有価証券収納部３０は、第１の収納部３０ａ、第２の収納部３０ｂ及び第３の収納部３０ｃの３つの収納部から構成されており、有価証券の種類に応じて分類収納できるようになっている。特定有価証券収納部３０の各収納部３０ａ、３０ｂ及び３０ｃは集積方式の収納部であり、有価媒体搬送部１４からこれらの収納部３０ａ、３０ｂ及び３０ｃに送られた小切手等は、既に収納部３０ａ、３０ｂ、３０ｃに収納されている小切手等の上に積み重ねられるようにして収納される。
【００４１】
損券収納部４０、４２には、損券、旧券及び損傷券が収納される。損券収納部４０は集積方式の収納部であり、有価媒体搬送部１４から損券収納部４０に送られた損券等は、既に損券収納部４０に収納されている損券等の上に積み重ねられるようにして収納される。一方、損券収納部４２はテープ巻取方式の収納部である。損券収納部４２は、一時保留部２０と同様に、正逆両方向に回転可能なドラム４２ａを有している。そして、有価媒体搬送部１４から損券収納部４２に送られた損券等は、この一対のテープの間に挟まれた状態で１枚ずつ順次ドラム４２ａに巻き取られて収納される。また、ドラム４２ａを逆転させると、巻き取られた損券等が１枚ずつ繰り出されて、有価媒体搬送部１４に送出される。
【００４２】
また、有価媒体処理装置１の機体内には、新券１００を収納する新券収納部５０が設けられている。より具体的には、新券収納部５０は、第１の収納部５０ａ、第２の収納部５０ｂ、第３の収納部５０ｃ及び第４の収納部５０ｄからなる４つの収納部から構成されている。例えば、第１の収納部５０ａには１万円札の新券１００が、第２の収納部５０ｂには千円札の新券１００が、第３の収納部５０ｃには五千円札の新券１００がそれぞれ収納される。また、第４の収納部５０ｄに収納される新券１００の金種については操作員が選択できるようになっている。これらの各収納部５０ａ、５０ｂ、５０ｃ、５０ｄにはそれぞれ収納繰出機構５２ａ、５２ｂ、５２ｃ、５２ｄが設けられており、収納部５０ａ、５０ｂ、５０ｃ、５０ｄに収納されている新券１００を有価媒体搬送部１４に１枚ずつ繰り出したり、有価媒体搬送部１４によって搬送された新券１００を内部に収納したりすることができる。
【００４３】
投出部６０は有価媒体搬送部１４に接続されており、有価媒体搬送部１４によって搬送された新券等の有価媒体は、搬送路１４ｃから、当該投出部６０に積み重ねるようにして投出される。具体的には、投出部６０には羽根車６２が設けられており、搬送路１４ｃから羽根車６２に送られた新券等の有価媒体は、羽根車６２を形成する一対の羽根の間に挟まれた状態で当該羽根車６２が図２で反時計回りの方向に回転することにより、投出部６０に送られる。羽根車６２が設けられていることにより、投出部６０に集積される新券等の有価媒体を整列させることができる。一方、搬送方向に長い小切手等の有価媒体は、羽根車６２へと向かう搬送路１４ｃの上側に設けられた別の搬送路１４ｄから投出部６０へ投出される。搬送方向のサイズが大きいために、有価媒体の後端が搬送路１４ｃのローラの間に挟まれた状態で、先端が羽根車６２に挟まれて回転すると、有価媒体が破れてしまう。このため、搬送方向に長い有価媒体は、羽根車６２からの距離が離れた搬送路１４ｄを経て投出部６０に投出される。なお、投入部１０に投入された媒体が小切手等の所定以上の長さを有する有価媒体であり、これらの有価媒体が有価媒体識別部１６にてリジェクト判定された場合も、同様に搬送路１４ｄから投出部６０へリジェクトされる。また、投出部６０にはシャッタ６１ａが設けられており、操作員は、このシャッタ６１ａが開放状態となったときに、投出部６０に集積された新券等の有価媒体を取り出すことができる。また、投出部６０には抜き取り検知部６１ｂが設けられており、投出部６０に集積された新券等の有価媒体が当該投出部６０から抜き取られたことを検知できるようになっている。
【００４４】
図２に示すように、有価媒体処理装置１の機体内で新券等を搬送する有価媒体搬送部１４は、接続箇所１４ｐで接続された第１の搬送路１４ａ及び第２の搬送路１４ｂを含む構成となっている。第１の搬送路１４ａは、投入部１０から機体内に投入された有価媒体を、一時保留部２０、特定有価証券収納部３０、損券収納部４０に向けて搬送するものである。一方、第２の搬送路１４ｂは、新券収納部５０に収納された新券１００を投出部６０に向けて搬送するものである。第１の搬送路１４ａと第２の搬送路１４ｂとは互いに独立して設けられている。すなわち、第１の搬送路１４ａは図２に示す仮想線Ｌの右側に設けられており、第２の搬送路１４ｂは仮想線Ｌの左側に設けられている。
【００４５】
第２の搬送路１４ｂには簡易識別部６４が設けられている。簡易識別部６４は、新券収納部５０から第２の搬送路１４ｂに繰り出された新券１００を計数すると共に搬送エラーの発生を検出する機能を有している。
【００４６】
図３は、有価媒体処理装置１の機能を説明するためのブロック図である。有価媒体処理装置１は、図２で説明した以外に、制御部１１と、入金処理に関する各種データを含む媒体管理データ８ａが保存された記憶部８と、制御部１１への指示操作を行う操作部としての機能及び制御部１１による各種情報を表示する表示部としての機能を有する操作表示部９とを有している。
【００４７】
有価媒体処理装置１が有する複数の収納部は、図３に示すように、有価媒体を一時保留するためのテープ式の一時保留部２０と、図１のテープ式の有価媒体収納部７に相当する損傷券収納部４２と、図１の集積式の有価媒体収納部５に相当する特定有価証券収納部３０、損券収納部４０及び新券収納部５０とに分類される。また、図３に示す有価媒体識別部１６及び一時保留部２０が、それぞれ図１の識別部３及び一時保留部２に相当する。また、図２に示す投入部１０及び投出部６０が、図１に示す入出金口６に相当する。
【００４８】
図２及び図３に示す有価媒体処理装置１で、制御部１１が、有価媒体搬送部１４、有価媒体識別部１６、一時保留部２０、テープ式有価媒体収納部４２、集積式有価媒体収納部３０、４０、５０の各部の機能及び動作を制御することによって、図１に示した有価媒体処理を実現することができる。
【００４９】
なお、有価媒体処理装置１に、損傷券等、損傷した有価媒体１００を投入する際には、損傷度合いによって、専用のキャリアシートが利用される。図４は、キャリアシート９００の構成を説明する図である。図４では、キャリアシート９００を投入部１０に載置した状態で上方から見た図を上側に示し側方から見た図を下側に示している。図４の矢印２００は、キャリアシート９００が投入部１０から繰り出されて装置内に取り込まれる搬送方向を示している。
【００５０】
キャリアシート９００は、短辺側の接合部９０６で接合された一対の透明なシート９０２、９０４から構成されている。図４上図に破線で示したように、有価媒体１００を、一対のシート９０２、９０４の間に挟んだ状態で、このキャリアシート９００を装置に投入することにより、そのままでは正常に搬送できないほど損傷した有価媒体１００であっても、装置内を搬送して画像を取得したり、収納したりすることが可能となる。
【００５１】
キャリアシート９００が、逆向き（図４矢印２００と反対向き）に搬送されてテープ式の一時保留部２０に巻き取られると、２枚のシート９０２、９０４がずれた状態で巻き取られるために一方のシート９０２又は９０４が接合部９０６側で膨らんだ状態となってドラム２０ａの外周に沿った形で正常に巻き取ることができなくなる。
【００５２】
このため、キャリアシート９００が逆向きに搬送されて一時保留部２０に巻き取られることがないように、接合部分９０６、すなわち投入部１０に正しく載置された際に最初に装置内に取り込まれる側の両端２箇所に、光を透過しないマーク９０８ａ、９０８ｂが設けられている。操作員が、このマーク９０８ａ、９０８ｂを目印としてキャリアシート９００を投入部１０へ載置することで、キャリアシート９００が逆向きに搬送されないようになっている。
【００５３】
投入部１０には、キャリアシート９００の向きを監視するため、キャリアシート９００が正しく載置された際にマーク９０８ａ、９０８ｂを検出するように２つの透過型センサが設けられている。具体的には、キャリアシート９００を正しく載置した際に、各透過型センサの投光部と受光部との間にマーク９０８ａ、９０８ｂが挿入された状態となり、２つの透過型センサが遮光された状態となる。一方、キャリアシート９００が逆向きに載置された場合には、透過型センサの投光部と受光部との間に透明なシート９０２、９０４が挿入された状態となるため透過型センサは遮光されない。有価媒体処理装置１は、透過型センサの遮光状態からキャリアシート９００が誤って逆向きに載置されたことを認識すると、音、光、情報表示等によって逆向きであることを利用者に報知するようになっている。
【００５４】
図５（ａ）に示すように、２つのマーク９０８ａ、９０８ｂの両端部に達する大きさの有価媒体１００がその短辺を接合部分９０６と逆側のシート９０２、９０４端面と一致するような形でキャリアシート９００にセットされると、投入部１０でキャリアシート９００の向きを監視する透過型センサが、有価媒体１００をマーク９０８ａ、９０８ｂと誤検知する可能性がある。有価媒体処理装置１では、このような場合でも、キャリアシート９００が逆向きに搬送されていることを検知するために、搬送路１４ａ上に、反射型センサ３０１と、２つの透過型センサ３０２ａ、３０２ｂとが設けられている。これらのセンサ３０１、３０２ａ、３０２ｂは、搬送方向２００と垂直な方向に配設されている。
【００５５】
搬送路１４ａに何も存在しない状態では、透過型センサ３０２ａ、３０２ｂは透光状態となり反射型センサは反射光を検出しない状態となる。これに対して、透明なキャリアシート９００が存在する場合には、透過型センサ３０２ａ、３０２ｂは透光状態となり反射型センサ３０１は反射光を検出する状態となる。また、有価媒体１００が存在する場合には、透過型センサ３０２ａ、３０２ｂは遮光状態となり反射型センサ３０１は反射光を検出する状態となる。このように、何も存在しない場合、キャリアシート９００が存在する場合、有価媒体１００が存在する場合のそれぞれで異なる信号が出力されるため、有価媒体処理装置１では、図５（ａ）に示すようにキャリアシート９００が逆向きに搬送されていることを認識することができる。有価媒体処理装置１は、キャリアシート９００が逆向きに搬送されていることを認識すると、これを一時保留部２０に収納することなく投出部６０へリジェクトする。
【００５６】
また、図５（ｂ）に示すように、キャリアシート９００から有価媒体１００がはみ出した状態で搬送されているような場合も、有価媒体処理装置１は、検知した媒体の長さから異常な状態にあることを認識して、キャリアシート９００を投出部６０へリジェクトする。
【００５７】
有価媒体処理装置１では、各収納部３０、４０、４２（以下単に「収納部」と記載する）に収納された各有価媒体１００が管理されている。具体的には、制御部１１が、各収納部に収納された有価媒体１００の順序に基づいて管理番号を付して、有価媒体１００を撮像した画像、有価媒体１００の種類、処理日等の各種データを管理番号と関連付けて管理している。これらのデータは、記憶部８で、媒体管理データ８ａとして管理される。媒体管理データ８ａには、有価媒体識別部１６によって取得された画像とデータが含まれる。
【００５８】
例えば、ジャム等の障害が発生して、これを解除した際に、収納部に実際に収納されている有価媒体１００の順序と、記憶部８で媒体管理データ８ａとして管理されているデータとの間に不整合が生じる場合がある。有価媒体処理装置１では、このような場合に、有価媒体１００の現物とデータとの整合をとる処理を行うことができる。
【００５９】
図６〜図９は、各収納部に収納されている有価媒体１００と媒体管理データ８ａとの間に不整合が生じた際に、これを解消するために行われる処理を説明するための図である。図６〜図８では、左側に収納部に実際に収納されている有価媒体１００の順序を示し、右側に媒体管理データ８ａで管理されているデータを示している。図中の各番号が、有価媒体１００の管理番号を示しており、一番上の管理番号が、収納部から最初に繰り出される有価媒体１００を示している。例えば、図６（ａ）のデータは、収納部から最初に繰り出される有価媒体１００から順に「０００３」、「０００４」、「０００５」…の順で管理番号が付されており、媒体管理データ８ａでもこれと一致する形でデータが管理されている状態を示している。
【００６０】
ジャム解除等を行った後、収納部に実際に収納されている有価媒体１００と媒体管理データ８ａで管理されているデータとの整合を確認する際には、収納部から少なくとも１枚の有価媒体１００を投出部６０へ投出させる。例えば、図６（ａ）に示す状態から有価媒体１００を１枚投出させると、管理番号０００３の有価媒体１００が収納部から投出部６０に投出されて、収納部には同図（ｂ）左図に示すように、管理番号０００４以降の有価媒体１００が収納された状態となる。
【００６１】
整合確認の処理が開始されると、操作表示部９には、媒体管理データ８ａとして管理されているデータが表示される。図９は、整合確認処理時に操作表示部９に表示される画面の例を示す図である。このように、画面上には、複数の有価媒体１００の画像１２０と管理番号４０１とが表示される。また、関連する情報４０２として、有価媒体１００が紙幣である場合には記番号が表示され、有価媒体１００が小切手である場合には小切手番号が表示される。なお、図９では図示を省略しているが、実際の画面上では、媒体管理データ８ａとして管理されている管理番号０００３〜０００７の各媒体の画像１２０が表示される。
【００６２】
操作員は、投出部６０に投出された有価媒体１００の現物を目視確認しながら、画面上の画像１２０及び情報４０２に基づいて、投出された有価媒体１００に対応する管理番号を特定して選択する。図６（ｂ）の例では、管理番号０００３の有価媒体１００が投出されているので、操作員は、画面上で管理番号０００３の有価媒体１００を選択する。
【００６３】
有価媒体処理装置１では、管理番号０００３の有価媒体１００が選択されると、制御部１１が、実際に収納部に収納されているのは、投出された管理番号０００３の有価媒体１００の後に続く管理番号０００４以降の有価媒体１００であることを認識する。そして、媒体管理データ８ａから、投出された管理番号０００３のデータを消去して、図６（ｃ）に示すように、収納部に収納されている実際の有価媒体１００と媒体管理データ８ａで管理されているデータとの整合をとる。こうして、有価媒体１００の現物とデータとの整合がとれると、整合確認処理を完了する。
【００６４】
なお、現物とデータとの整合をとる処理は、収納部毎に行われる。このとき、装置外へ投出された有価媒体１００は装置へ再入金して、対応する収納部へ収納する。また、図６では、１枚の有価媒体１００のみを投出させる例を示したが、有価媒体１００を投出する枚数はジャム発生時の状況に応じて設定されている。具体的には、ジャム発生時には、その前後に行われた処理内容から収納部に収納されている有価媒体１００とデータとの不整合が疑われる管理番号を予測することができる。収納部に収納されている１枚目の有価媒体１００を確認すれば、その後に収納されている有価媒体１００の現物とデータの整合をとることができる場合には、図６に示すように、有価媒体１００が１枚だけ投出される。これに対して、複数枚の有価媒体１００を確認する必要がある場合には、必要な枚数の有価媒体１００が１枚ずつ自動的に投出される。この場合には、図９の画面上部に表示される枚数表示が投出枚数に合わせて変更され、必要な枚数分の確認を終えたところで整合確認処理を完了するようになっている。
【００６５】
図６の例は、整合確認処理を行う前から整合性に問題がなかった状態の例であるが、実際に現物とデータに不整合があった場合には、図７及び図８に示すように整合確認処理が進められる。
【００６６】
図７（ａ）に示すように、収納部には管理番号０００４以降の有価媒体１００が収納されているにも拘わらず媒体管理データ８ａには管理番号０００３以降のデータが登録されている場合に整合確認処理を開始すると、収納部から管理番号０００４の有価媒体１００が投出される。この結果、図７（ｂ）に示すように、収納部には管理番号０００５以降の有価媒体１００が収納された状態となる。
【００６７】
操作員が、投出された有価媒体１００を確認して、画面上で管理番号０００４の有価媒体１００を選択すると、制御部１１が、収納部には管理番号０００５以降の有価媒体１００が収納されていることを認識して、図７（ｃ）に示すように、媒体管理データ８ａを管理番号０００５以降のデータとして整合確認処理を完了する。
【００６８】
また、図８（ａ）に示すように、収納部には管理番号０００２以降の有価媒体１００が収納されているにも拘わらず、媒体管理データ８ａには０００３以降のデータが登録されている場合に整合確認処理を開始すると、収納部から管理番号０００２の有価媒体１００が投出される。この結果、図８（ｂ）に示すように、収納部には管理番号０００３以降の有価媒体１００が収納された状態となる。
【００６９】
操作表示部９には媒体管理データ８ａとして管理されているデータが表示されるので、画面上には、管理番号０００２のデータは表示されない。操作員が、投出された有価媒体１００に関するデータが表示されていないことを確認して、図９に示す画面上で該当媒体無しのボタンを選択すると、収納部から次の有価媒体１００、すなわち管理番号０００３の有価媒体１００が投出される。この結果、図８（ｃ）に示すように、収納部には管理番号０００４以降の有価媒体１００が収納された状態となる。
【００７０】
操作員が、投出された有価媒体１００を確認して、画面上で管理番号０００３の有価媒体１００を選択すると、制御部１１が、収納部には管理番号０００４以降の有価媒体１００が収納されていることを認識して、図８（ｄ）に示すように、媒体管理データ８ａを管理番号０００４以降のデータとして整合確認処理を完了する。
【００７１】
このように、有価媒体処理装置１では、整合確認処理によって、収納部に実際に収納されている有価媒体１００と、記憶部８の媒体管理データ８ａに登録されている有価媒体１００のデータとの整合をとることができる。
【００７２】
次に、有価媒体処理装置１によって図１に示す有価媒体１００の処理を行う際の処理の流れについて説明する。図１０は、有価媒体処理の流れを示すフローチャートである。なお、以下では、入金対象とする有価媒体１００は、損券収納部４０（以下単に「収納部４０」と記載する）に収納される紙幣であるものとして説明する。
【００７３】
操作員が、操作表示部９を操作して、それぞれの入金処理に割り当てられる入金番号に基づいて、処理を開始する有価媒体１００に対応する入金番号を入力した後、有価媒体処理装置１の投入部１０に有価媒体１００を投入すると（ステップＳ１１）、投入部１０から１枚ずつ装置内に繰り出された有価媒体１００が有価媒体搬送部１４によって搬送される。そして、有価媒体識別部１６によって、有価媒体１００の画像が取得される（ステップＳ１２）。画像が取得された後、有価媒体１００はさらに搬送されて、一時保留部２０へ収納される（ステップＳ１３）。有価媒体識別部１６によって取得された画像や有価媒体１００の種類等のデータは、記憶部８の媒体管理データ８ａに保存される。
【００７４】
有価媒体１００が紙幣である場合には、媒体管理データ８ａに金種や正損等の識別結果が含まれることになる。また、有価媒体１００が、一部が欠損した損傷券である場合には、券種情報、修復の必要性を示す情報、日本銀行による鑑定の必要性を示す情報等が媒体管理データ８ａに登録される。
【００７５】
なお、券種情報とは紙幣の金種及び新旧に関する種類のことをいい、具体的には、例えば日本の紙幣では、紙幣の発行時期（Ａ券〜Ｅ券）及び金種を組み合わせて「Ｅ一万円券」のように券種情報が登録される。また、価値とは、紙幣の残存面積に応じて変動する紙幣の価値である。また、紙幣の価値を決めるために日本銀行による鑑定が必要である場合にはこれを示す情報が登録され、日本銀行へ鑑定依頼するために紙幣の欠損部の修復が必要である場合にもこれを示す情報が登録される。これら、券種情報、価値、修復要否、鑑定要否に関する情報は、例えば、操作表示部９上で、操作員によって入力される。
【００７６】
図１３は、損傷券に関する情報入力を行う際に操作表示部９に表示される画面の例を示している。このように、画面下側に、有価媒体識別部１６によって取得された損傷券の表面及び裏面の画像が表示される。また、損傷券画像の上側には価値を判断するための補助情報が表示され、画面右側には券種等を判断するための補助情報としてサンプル画像が表示される。サンプル画像では、特徴部分が二重丸等で囲んで表示されるので、操作員は、これらの情報を確認しながら画面に表示された券種ボタンや価値ボタン等を選択して損傷券に関する情報入力を行うことができる。
【００７７】
投入部１０に投入された全ての有価媒体１００が一時保留部２０へ収納されると、操作表示部９に、一時保留部２０に収納された有価媒体１００の画像及び情報が表示される。操作員は、操作表示部９の表示を確認して、一旦装置外へ投出させたい有価媒体１００がある場合には、画面上で有価媒体１００を選択する返却指定操作を行う（ステップＳ１４）。なお、有価媒体１００が損傷券である場合には、各損傷券で、上述したように情報入力を行った後に、引き続き返却指定操作が行われることになる。
【００７８】
図１２は、返却指定操作を行う際に操作表示部９に表示される画面の例を示している。例えば、有価媒体１００が損傷券であった場合には、図１２に示すように、左側に表面及び裏面の画像が表示され、右側に関連する情報が表示される。図１２の例は、右上の表示にあるように、一時保留部２０に１８枚の有価媒体１００が収納された状態にあり、このうち２枚目の有価媒体１００の画像及び情報が表示されていることを示している。このように、画面上には、取引番号、取引日、有価媒体１００の種類や価値に関する情報が表示され、画面上の矢印のボタンを押すことにより、表示する有価媒体１００を手動切り換えできるようになっている。
【００７９】
操作員は、画面上で、有価媒体１００の画像にノイズ、歪、傾き等がないことを確認する。ここで、画像品質に問題がある場合には、画面上で、返却指定ボタンを押して返却指定する。
【００８０】
また、操作員は、画面上で、有価媒体１００に関する情報に誤りがないことを確認する。そして、画面上で修正可能な情報は画面上で修正する。例えば、画面上で、下線が付されている券種、価値、修復作業の要否、鑑定の要否を選択すると、損傷券に関する情報入力を行った図１３に示す画面に戻って、画面上で各情報を修正することができる。なお、操作員が、有価媒体１００の現物を確認してから情報修正を行うべきであると判断した場合には、返却指定ボタンを押して返却指定する。
【００８１】
画面上で、画像や情報に問題があるために有価媒体１００を一旦装置外へ投出させたい場合には返却指定ボタンを押して、画像及び情報に問題がない場合には完了ボタンを押す。返却指定ボタン又は完了ボタンが押されると、次に確認すべき有価媒体１００の確認画面に自動的に切り替わるので、操作員は、順次表示される画面上で各有価媒体１００の画像及び情報を確認する。
【００８２】
こうして、一時保留部２０に収納された全ての有価媒体１００について、画像及び情報の確認を終えると、返却指定された有価媒体１００、すなわち再処理を必要とする有価媒体１００があるか否かの判定が行われる（ステップＳ１５）。返却指定された有価媒体１００が存在しない場合には（ステップＳ１５；Ｎｏ）、これを示す情報と共に入金処理の確定を促す情報が操作表示部９に表示される。操作員が入金処理を確定する操作を行うと（ステップＳ１６）、入金処理が完了する。
【００８３】
一方、返却指定された有価媒体１００が存在する場合には（ステップＳ１５；Ｙｅｓ）、入金処理が確定されたか否かが判定される（ステップＳ１７）。なお、入金処理の確定処理は、設定に応じて手動又は自動で行われる。
【００８４】
入金確定を手動で行う設定となっている場合には、操作員が返却指定操作を終えた後、操作表示部９に、返却指定された有価媒体１００の枚数等の情報と共に入金確定するか否かを尋ねる情報が表示される。操作員は、処理内容や運用に応じて、この段階で入金を確定するか否かを選択する。
【００８５】
また、入金確定を自動で行う設定となっている場合には、有価媒体１００の種類や処理内容に応じて、入金確定するか否かが自動的に選択される。例えば、小切手入金であるか紙幣入金であるかによって、又は投入された有価媒体の枚数や入金金額が所定値を越えるか否かによって、入金確定するか否かが自動的に選択される。
【００８６】
入金処理が確定された場合には（ステップＳ１７；Ｙｅｓ）、一時保留部２０に収納された有価媒体１００の繰り出しを開始して（ステップＳ２０）、返却指定されなかった有価媒体１００を対応する収納部４０へ収納しながら、返却指定された有価媒体１００のみが投出部６０へ投出される（ステップＳ２１）。この段階で、制御部１１は、収納部４０へ収納した有価媒体１００に関するデータを入金確定分として、入金番号と関連付けて記憶部８に登録する。
【００８７】
操作員は、投出部６０へ投出された有価媒体１００を取り出して、操作表示部９で、この有価媒体１００に対応する入金番号を入力する。制御部１１は、この入金番号に関するデータが記憶部８に登録済みであることから、再処理であることを認識する。
【００８８】
操作員が、再処理分の有価媒体１００を投入部１０へ再投入すると（ステップＳ２２）、有価媒体１００の画像や情報取得が行われた後、再び一時保留部２０へ収納される（ステップＳ２３）。そして、再処理に問題がないか、すなわち画像やデータに問題がないことの確認が行われる（ステップＳ２４）。画像やデータに問題があった場合には、再び投出部６０へ繰り出されて、問題がないことが確認されるまでステップＳ２０〜Ｓ２４の処理が繰り返される。
【００８９】
操作員が、再投入した有価媒体１００について行われた再処理に問題がないことを確認すると（ステップＳ２４；Ｙｅｓ）、この有価媒体１００の入金を確定する操作を行う。この結果、一時保留部２０に収納された再処理分の有価媒体１００が繰り出されて対応する収納部４０に収納される（ステップＳ２５）。そして、再処理分の有価媒体１００に関するデータが、先に記憶部８に保存されていた確定済分の有価媒体１００のデータと統合されて一取引分の入金データとして登録された後、入金処理が完了する。
【００９０】
一方、入金処理が未確定の場合には（ステップＳ１７；Ｎｏ）、入金確定時と同様に、一時保留部２０の有価媒体１００が繰り出される（ステップＳ３０）。繰り出された有価媒体１００のうち、返却指定されなかった有価媒体１００をテープ式の損券収納部４２（以下単に「収納部４２」と記載する）に退避しながら、返却指定された有価媒体１００のみが投出部６０へ投出される（ステップＳ３１）。この段階で、制御部１１は、収納部４２へ収納した有価媒体１００に関するデータを入金未確定分として、入金番号と関連付けて記憶部８に保存する。
【００９１】
収納部４２では、既に収納部４２に収納されている有価媒体１００と区別できるように再処理分の有価媒体１００が収納される。図１１は、既に収納部４２に収納されている入金確定済の有価媒体１００と、入金未確定の有価媒体１００とを区別する方法を説明する図である。２枚のテープ１４２ａ、１４２ｂの間に有価媒体１００を挟み込んで収納する収納部４２では、入金確定されて収納済の有価媒体１１１が、間隔Ｌ１をあけて収納されている。入金未確定の有価媒体１００を収納する際には、先にテープ１４２ａ、１４２ｂをドラム４２ａに巻き取って、入金確定された収納済分の最後の有価媒体１１１から間隔Ｌ２（Ｌ２＞Ｌ１）をあけてから、収納を開始する。そして、入金未確定分の有価媒体１００を収納する間は、再び、間隔Ｌ１をあけながら各媒体を収納する。入金確定済の有価媒体１１１と入金未確定の有価媒体１００との間隔Ｌ２は設定可能であるが、例えば通常の間隔Ｌ１の数倍以上とする。例えば、処理中に装置に障害が発生したような場合でも、収納部４２に収納された有価媒体１００を順次繰り出して、同じ間隔Ｌ１で繰り出されていた有価媒体１００が途切れた所で、入金未確定分の有価媒体１００全てが繰り出されたことを認識することができる。これにより、入金確定済の有価媒体１１１が収納されている収納部４２を利用しながら、入金未確定の有価媒体１００と明確に区別して、処理に混乱が生ずることを回避できる。
【００９２】
返却指定された全ての有価媒体１００が投出部６０へ投出されると、収納部４２へ収納された有価媒体１００を一時保留部２０へ戻し入れる処理が開始される（ステップＳ３２）。
【００９３】
操作員は、投出部６０へ投出された有価媒体１００を取り出して、操作表示部９で入金番号を入力する。制御部１１は、この入金番号から、記憶部８に保存しておいたデータに関連する再処理であることを認識する。
【００９４】
操作員が、再処理分の有価媒体１００を投入部１０へ再投入すると（ステップＳ３３）、有価媒体１００の画像や情報取得が行われた後、再び一時保留部２０へ収納される（ステップＳ３４）。そして、再処理に問題がないことの確認が行われる（ステップＳ３５）。再処理の内容に問題がある場合には再び投出部６０へ繰り出されて、問題がないことが確認されるまで、ステップＳ３０〜Ｓ３５の処理が繰り返される。
【００９５】
操作員が、再投入した有価媒体１００について行われた再処理に問題がないことを確認すると（ステップＳ３５；Ｙｅｓ）、ここで入金を確定する操作を行う。このとき、一時保留部２０には、一取引分の全ての有価媒体１００が収納された状態にある。入金が確定されると、一時保留部２０の有価媒体１００が繰り出されて、対応する収納部４０に収納される（ステップＳ３６）。そして、先に記憶部８に保存されていたデータと再処理分のデータとを統合したデータが一取引分の入金データとして登録されて、入金処理が完了する。
【００９６】
なお、本実施形態では、有価媒体１００として紙幣や小切手を例に説明を行ったが、有価媒体処理装置１が処理対象とする有価媒体には硬貨も含まれており、硬貨についても同様に処理を行うことができる。例えば、硬貨を収納する有価媒体処理装置１に硬貨を入金する際に、変形硬貨、摩耗の激しい硬貨、汚れのひどい硬貨、記念硬貨等の硬貨等を、該硬貨を撮像した画像を見ながら指定して、返却指定した一部の硬貨のみを装置外へ投出させる処理を上述した機能及び動作により実現することができる。
【００９７】
また、本実施形態では、操作表示部９に画像を表示して有価媒体１００の返却指定を行う態様を示したが、返却指定の方法がこれに限定されるものではない。例えば、操作表示部９に、有価媒体１００の画像は表示されず、「斜行した媒体」等の文字が表示されて、この文字を指定すると、これに該当する有価媒体１００の返却指定が自動的になされる態様であっても構わない。
【００９８】
上述してきたように、本実施形態に係る有価媒体処理装置１によれば、入金処理中に、取得した有価媒体１００の画像品質に問題がある場合、誤って入金対象外の有価媒体１００が混入されていた場合等、一部の有価媒体１００を一旦装置外へ投出させて現物を確認したい場合に、これらの有価媒体１００のみを返却指定して装置外へ投出させて、他の有価媒体１００を装置内に維持した状態とすることができる。
【００９９】
装置内では、装置外へ投出されて再処理される有価媒体１００のデータのみが削除されて他のデータは維持されるので、再処理分の有価媒体１００のみを再投入して、この有価媒体１００に関するデータ確認の処理を行うだけで入金処理を完了することができる。
【０１００】
また、有価媒体処理装置１では、入金される有価媒体１００のうち一部の有価媒体１００のみを返却する処理を、設定により、入金処理を確定してから行うこともできるし入金処理を未確定の状態で行うこともできるので、処理内容、処理対象とする有価媒体の種類、有価媒体処理装置１が設置された金融機関の運用等に応じた設定で利用することができる。
【産業上の利用可能性】
【０１０１】
以上のように、本発明は、有価媒体を入金して収納するための有価媒体処理装置で、入金処理時に、必要に応じて一部の有価媒体のみを装置外へ投出した後、再入金するために有用な技術である。
【符号の説明】
【０１０２】
１  有価媒体処理装置
２、２０  一時保留部
３  識別部
４  搬送部
５、７  有価媒体収納部
６  入出金口
８  記憶部
９  操作表示部
１０  投入部
１１  制御部
１２  繰出機構
１４、１４ａ〜１４ｄ  有価媒体搬送部
１６  有価媒体識別部
３０、３０ａ〜３０ｃ  特定有価証券収納部
４０、４２  損券収納部
５０、５０ａ〜５０ｄ  新券収納部
６０  投出部
６４  簡易識別部
３０１  反射型センサ
３０２ａ、３０２ｂ   透過型センサ
９００  キャリアシート
【図１】
2014191563.tif 000003
【図２】
2014191563.tif 000004
【図３】
2014191563.tif 000005
【図４】
2014191563.tif 000006
【図５】
2014191563.tif 000007
【図６】
2014191563.tif 000008
【図７】
2014191563.tif 000009
【図８】
2014191563.tif 000010
【図９】
2014191563.tif 000011
【図１０】
2014191563.tif 000012
【図１１】
2014191563.tif 000013
【図１２】
2014191563.tif 000014
【図１３】
2014191563.tif 000015